(57)【要約】【目的】ガラスブロックに元より遮音効果の大きい特徴を活かし、なを吸音性能を付加する。【構成】ガラスブロック内膣25が略真空の横断面復層構造の空洞層内に球状の円柱体を埋設し、スリット26開口部の縦幅を円柱体の外形より小さくして、タバコなどの挿入を防止するサイズにした特徴を持つスリット26を設けた、ガラスブロック  で  リゾネーター効果による中低音域の吸音機能持たせて、暗騒音の大きい道路等に面しての壁面構成、又大規模開発建築のアトリュウムや公共の通路（図9参照）・アートギャラリ中庭・吹抜け等暗騒音の多い空間での吸音効果を高めたい部分に利用して各種建築の設計展開を広げていくと同時に、光の回析作用による光の膜、室内照明の影響による光学的な、光の透過、屈折、反射の光のハーモニー効果を高める。【選択図】        図２
2008280729.tif 000002
【特許請求の範囲】
【請求項１】
互いに対峙する壁部と該壁の両端に設けた側壁とからなる、内膣が略真空の吸音ブロックであって、前記壁部の少なくとも一方に横断面球状の円柱体を内部に埋設されたスリットを持つことを特徴とするガラス製中低音用リゾネーター型吸音ブロック。
【請求項２】
前記ブロックは、光の回析作用を有することを特徴とする、請求項１記載のガラスブロック。
【請求項３】
スリット開口部の縦巾を円柱体の外径より小さいことを特徴とする、請求項１、２のガラス製中低音用リゾネーターブロック。
【発明の詳細な説明】
【技術分野】
【０００１】
本発明はガラスブロックに長いスリット状の吸音孔と、空洞内部に球状の円柱体を構成するガラスブロックに関する。
【背景技術】
【０００２】
本発明は、従来のリゾネーター型吸音ブロックはガラス製でなく、コンクリート製が主で、本発明のガラスブロック製は従来のコンクリート製と比較して、光を通しかつ置き換えが容易で、
扉の場合
◇  特定防火設備（旧甲種防火戸・防火設備（旧乙種防火戸）
壁及び屋根材の場合
◇  耐火構造（外壁非耐力  １時間  ・屋根材  30分）
の取得は従来製品のように行政と協議すれば同等と認定されると推測される。
又騒音の低減を目的とし、特に100Hｚ〜1000ｈｚの周波数範囲の中・低音用リゾネーター型で、光の回析作用をもつ、吸音ガラスブロックに関するものである。
【０００３】
文化の発展と工業化の発展に伴う都市の過密は、高速鉄道や高速道路の拡充をはじめ、大規模開発のアトリウム、公共の通路、スポーツ、レジャー  施設、集会施設、高層住宅、工場が執務空間、居住空間と隣接又は同居する現象を生みだし、その結果新たな
環境公害として騒音問題がクローズアップして来た。
又騒音と同じく、アトリウムや公共の通路等（図7、ガラスブロックによる壁面：アートギャラリー）における音響の調整が執務空間や居住空間そして公共の通路での
音響環境の整備として設計上重要視される傾向になっている。
【０００４】
このような音に関する対策には、大別すると    遮音によるもの    吸音によるもの    振動減衰によるものに分けられる。
対策上重要な100ｈｚ〜1000ｈｚの周波数範囲を、低、中、高、の音域に大別すると
＊1、  高音域（2000ｈｚ以上）・・多孔質材料（グラスウール・ロック−ル）・吹付材・繊維材料
＊2、  中音域  ・・・・・・・・・・・・  有孔板（穴あき石膏ボード・穴あき鉄板等）
＊3、  低音域  ・・・・・・・・・・・・一般に難しく
建築躯体とグラスウ−ルとの間に空気層が必要でこの空気層を10cm以上必要となり従って従来の吸音材は面強度を要する場所又空気層の厚さがスペ−ス・経済的にマイナスになる欠点があった。
【０００５】
従って対策としてヘルムホルツリゾネータ−を用い主として低音域の音だけを吸音させる。このリゾネーターを応用したガラス製の吸音ブロックで、復層構造をもち吸音室空洞層内球状円柱体による光の回析作用による光のハ−モニー効果を付加させ（図10参照）、室内を吸音し又道路等音源よりのガラスブロックスリットを通過した入力音が広い空間の執務室、居室の空気層の吸音性を利用してのリゾネーター効果も期待できる。（図9参照）                                                
【０００６】
公開実用新案公報にガラスブロック製がないので、コンクリート製を示す。
【特許文献１】実開昭57−688220号公報
【特許文献２】特開昭56−119056号公報
【発明の開示】
【発明が解決しようとする課題】
【０００７】
従来技術では吸音ブロックはコンクリート製又は陶磁器製しかなく、材質の性質上光を通さないので、採光を要する事務室・居間などの居室の建物部位の窓に使用できない欠点がある。（ 建築基準法では原則義務附られている。）
【課題を解決するための手段】
【０００８】
上記従来の吸音ブロックの課題を解決するために、本発明は互いに対峙する壁部の両端に設けた側壁とからなる、内膣が略真空の矩形の吸音ブロックであって、前記壁部の少なくとも一方に横断面球状の円柱体を内部に埋設されたスリットを設けたことを特徴とするガラス製中低音用リゾネーター型吸音ブロックを提供する。
【発明の効果】
【０００９】
本発明は、このリゾネーターを応用したガラス製の吸音ブロックで,復層構造をもち吸音室空洞層内円柱状隔壁による光の回析作用による光のハ−モニー効果を付加させ（背景技術  図  10参照）又道路等音源側よりのガラスブロックスリットを通過した入力音が広い空間の執務室、その他の居室の空気層・居室の吸音性を利用してのリゾネーター効果も期待できる。（背景技術  図 9参照）
【発明を実施するための最良の形態】
【００１０】
本発明は、従来から規格品のガラスブロックに、復層構造のうち、1層に直結する長いスリット状の吸音孔を設けるともに、吸音空洞内部に球状の円柱体の隔壁をもつ、中低音用リゾネーター型吸音ブロックとして製品化する。
【００１１】
図-2は、本発明に係わるリゾネーター型ガラスブロックの横断面図である。
21、22、はガラス表面    23、目地側面    24、球状円柱体  25、略真空内膣  26、スリットをそれぞれ示す。
【００１２】
図1は、本発明のいろいろなケースの光の回析パターンを示し
1−1、  矩形開口の回析パターン
矩形（スリット状）の開口に光が入射すると入射方向には多くの矩形回析光が現れるが、側面には少なくなる。
1−2、  光の小さな粒  その1
球に光が当たると周囲に光の薄い膜と散乱光が発生する。電子顕微鏡にも応用されている。
1−3、  光の小さな粒  その2
穴に光が差込むと穴の後方に円状の光の薄い膜が発生すると同時に入射光  1がわに散乱光  2が発生する。
（文献）  科学への招待    P100・P158・P166    ヘクト光学ＩＩ     P239
【００１３】
図2は、リゾネーターブロックの横断面図26及び姿図24を表わす。
2−1、はスリット26と球状円柱体24を示し、スリットの巾はタバコの径より小さくする。
2−2、は同上の姿を示す。  
2―3、壁面構成のスリットレイアウトの例を示す。  
【００１４】
図3は、それぞれ下記の光の回析イメージが重なり合った状況及びガラスブロック表面を表わす。                                        
3−1 は、 ブロックに水平のスリットを設けた例で
3−2、は、ブロックに垂直のスリットを設けた例で
3−3、は、水平スリットと垂直のスリットを夫々設けたブロックで構成した壁面の例である。
1−1、矩形開口の光の回析パターン31は、図1おける1−1、の回析に相当する。
1−2、球状の円柱体による光の回析パターン32図1における1−2、の回析に相当する。.
1−3，孔による光の回析パターン33は図1における1−3、に相当する。
34、はガラス表面であり
35、はガラスブロック縁面である。
【００１５】
図4は、リゾネーターブロックを3個横に並べた形状写真である。
左2個のブロックはガラスが透明であり、右のブロックはスリガラスである。
【００１６】
図5は、正倉院北倉に水平棚に横に収納されている、屏風帖収納状態のレイアウトを表わす。当面はスリットは１つとしますが、製品化した後での需要家の希望などの動向を見たうえでの、将来のスリットレイアウトの想定図を表わす。
屏風帖の長さは、
5-1,北倉44屏帖帖第2号  梁木帖  52長149cm  51  短54cm
5-2,北倉44屏風帖第3号  梁木帖  54長150cm  53短51、5cm
5-3,北倉44屏風帖第4号仮班竹帖164長164cm  55  短56〜58cmを示す。
【００１７】
図6は、吸音機構の分類を示し、本発明はCの共鳴器型を採用するものである。
Aは＊1、多孔質材料
音のエネルギーの一部が熱エネルギーとして消費され、その吸音周波数特性は低音（100HZ〜250HZ）で小さく、高音域（2000HZ以上）で大きい。            
Bは＊2、板振動型
音のエネルギーの一部が振動系内部の損失によって消費され、吸音率周波数特性はその低音域（500HZ付近）でピークを作る。
Cは＊3、共鳴器型
空洞に孔があいた形に音が当たると、孔の部分の空気が激しく振動し周辺との摩擦熱として消費され、その吸音周波数特性は共鳴周波数（750HZ付近）で非常に大きな値となる。
【００１８】
図7は、公共通路などでガラスブロックを積み上げてなる、各ガラスブロックにはスリットが設けられていない、アートギャラリーの空間写真を示す。
【００１９】
図8は、図7での壁ブロック詳細写真で、スリット81を設けたレイアウトの仮想写真と光の回析模様82である。一部のガラスブロックにはデイスプレイ83を施してある。
【００２０】
図9は、実際の居間などでのリゾネーター効果による吸音と道路など音源側に対するリゾネーター効果の説明図である。
A―1、及びA―2は外部に対する遮音と室内のリゾネーターブロックのリゾネーター効果による吸音を示す。
【００２１】
図10は、建物配置試案による、SOHO、（  Small  Office、Home  Office略  ）のガラスブロック壁面、階段、エレベーターのガラスブロック壁面からの、各建物よりの光のハーモニー効果を視認可能な位置より光の束の全体のシルエットを表わす。
建物配置試案は
昼・・  各建物のずれた壁配置による、光の反射・ガラスブロックの光の透過・反射・屈折、太陽光の時刻変化による陰影の模様の楽しさ、美しさを表わす光の束を表わす。                      
夜・・  居住者・来訪者のたたずまいによるガラスブロックを通うした照明光の微妙な変化も昼と同様楽しさ、美しさが味わえる。
【図面の簡単な説明】
【００２２】
【図１】光の解析パターン。
【図２】リゾネーターブロックの断面図及びスリット姿図、3−1、水平、3−2、垂直、3−3、四角などの壁面構成のスリットレイアウトを表わす。
【図３】光の回析イメージ図。
【図４】リゾネーターブロックの形状写真。
【図５】正倉院北倉、屏風帖レイアウト（将来スリット想定図）
【図６】吸音機構・・・吸音構造の基本的な3種類の吸音特性の概要図。
【図７】アートギャラリー空間写真・・・光のガラスブロック壁のイメージ写真。スリットなし。
【図８】壁ブロック詳細写真  （スリット仮想写真）。
【図９】実際の使用例の説明図。
【図１０】光のハーモニー  ＜  建物配置試案  ＞
【符号の説明】
【００２３】
図  1
1−1、  矩形開口の回析パターン。
1―2、   光の小さな粒  その1。
1―3、  光の小さな粒  その2.。
図  2
21、リぞネーターブロツクのガラス表面。
22、リゾネーターブロックのガラス表面。
23、目地側面。
24、球状円柱体。
25、略真空内膣。
26、スリツト。
図  3
31、矩形開口（スリット）の光の回析パターン。
32、球状の円柱体による光の回析パターン。
33、孔による光の回析パターン。
34、ガラス表面。
35、ガラスブロック縁面
図  5
5-1,北倉44    屏風帖第2号  梁木帖  長149ｃｍ  、52  短54ｃｍ、  51
5-2,北倉44    屏風帖第3号  梁木帖  長150ｃｍ、  52  短51．5ｃｍ、  53
5-3,北倉44    屏風帖第4号  仮班竹  長164ｃｍ、  56  短56〜58ｃｍ、  55
図  8
81、スリツト。
82、光の回析摸様：
83、デイスプレイ。
図  9
91、ガラスブロツク壁面
92、居間
93、机
24、球状円柱体（図2参照）
26、スリツト   (図2参照)  
【図１】
2008280729.tif 000003
【図２】
2008280729.tif 000004
【図３】
2008280729.tif 000005
【図５】
2008280729.tif 000006
【図６】
2008280729.tif 000007
【図９】
2008280729.tif 000008
【図１０】
2008280729.tif 000009
【図４】
2008280729.tif 000010
【図７】
2008280729.tif 000011
【図８】
2008280729.tif 000012
【手続補正書】
【提出日】平成19年8月7日(2007.8.7)
【手続補正１】
【補正対象書類名】特許請求の範囲
【補正対象項目名】請求項３
【補正方法】変更
【補正の内容】
【請求項３】
スリット開口部の縦巾を円柱体の外径より小さいことを特徴とする、請求項１，２のいずれか一項に記載のガラス製中低音用リゾネーター型吸音ブロック。
【手続補正２】
【補正対象書類名】図面
【補正対象項目名】図１０
【補正方法】変更
【補正の内容】
【図１０】
2008280729.tif 000013